(57)【要約】      （修正有）【課題】把手付き折り畳み式紙箱において、把手端部と係止板との係合が簡単で、しかも確実な係止固定が行われ、かつ解除も簡単で、これらが従来通り１回の動作で行え、かつシンプルな構造の箱を提供する。【解決手段】係止板には先端から、挿通孔先端に届かない切れ込み入れ、把手には把手端のフックとフックより把手中央側に係止板先端を格納する溝を設け、把手フックを挿通孔に挿通すると同時に、係止板先端部切れ込みを把手溝構成端が分け入り、溝に納まるようにした。外観は従来の把手付き折り畳み箱とほぼ同じでありながら、把手端フックを挿通したと同時に係止板先端が把手溝にロックされる。【選択図】図５
0003121363.tif 000002
【実用新案登録請求の範囲】
【請求項１】
四方側壁と底板とからなる箱形容器本体の対抗する一組の側壁上端縁に折り筋を介して蓋片を延設すると共に、該各蓋片の先端縁に折り筋を介して互いに起立重合する一対の把手を延設し、前記箱形容器本体の対抗する他の一組の側壁上端縁に折り筋を介して係止板を延設すると共に該各係止板に前記各把手片の両端部が挿通されて係合する挿通孔を設けた包装容器に於いて、該係止板の先端部には、先端から挿通孔先端に向けて挿通孔には届かない切り込みを設け、一方、前記各把手片の両端部には該各係止板の挿通孔を挿通するフック部と、それより把手中央側には、フック部を挿通した前記係止板先端部を格納する溝を設けた事を特徴とする包装容器。
【考案の詳細な説明】
【技術分野】
【０００１】
本考案は、ケーキなどを収納携帯する把手付き折り畳み式紙箱に関し、特に把手の係止固定に関する。
【背景技術】
【０００２】
従来、箱自体の流通及び保管等の便宜から折り畳み式で携帯用の把手付き紙箱が多く使われてきた。箱を組み立てた状態で把手の両端に形成した凸状のフック部に、側壁から連接した挿通孔付きの係止板を挿通係止することで、蓋と把手の係止固定を行って箱を組み立てるようにしている（例えば、特許文献１参照）。
【０００３】
この従来方式は、箱を組み立て、蓋と把手の係止固定後の外観もすっきりしており広く採用されているが、係止板と把手の係止固定を確実にするため挿通孔と把手端部のフック部の凸部高さは殆ど隙間の無いようにしてあるため、蓋開け時はそれだけで抵抗があり、更に蓋開きする際に、挿通孔とフック部との深い係合を把手の押し下げ動作を以て解除しながら、次いで係止板を別の手で把手から外側に外して蓋を開かねばならないという煩わしさを抱えていた。
【０００４】
これに対して、最近では係止板の挿通孔上端部に小さな係止片を設け、把手端部の凸状フック部が係止板の係止孔を挿通した後、該係止片で係止板と把手を固定する方法が提案されている（特許文献２参照）。
この方法は係止板と把手フック部との係止固定は挿通孔上端部に連接された係止片の先端が挿入された把手端部の凸部に引っかかり固定されるため、挿通孔と把手端部の凸部との大きさの関係をギリギリにする必要がなく、蓋閉め操作が簡単になった。しかし、小さな係止片が把手フックの凹部に噛み合い固定するようになっているため、箱携行中に把手に対して左右横に振れると小さな係止片に全ての応力が集中するため、係止固定が外れたり、係止片の根本から破れたりするため、係止が解除され、係止板がフックからも外れてしまうなどの重大欠陥が起こりうる。また、挿通孔上端部に設けられた係止片が係止板構造を複雑化し、そのため係止板の抜き刃構造を難しくし、外観も従来のシンプル性が失われるという問題点もあった。
【０００５】
即ち、従来の把手付き折り畳み箱は、参考文献１では把手と係止板の係合による係止固定を確実にしようとすれば、把手端を係止板挿通孔に挿入しずらく、外しにくくなるという問題をかかえ、参考文献２では挿通を軽く出来ても係止板及び挿通孔の構造が複雑になる等の問題を抱えており、把手付き折り畳み箱の改良が望まれていた。
【特許文献１】実公平７−２３３７６
【特許文献２】特許第３０４０３９２
【考案の開示】
【考案が解決しようとする課題】
【０００６】
解決しようとしている課題は、把手付き折り畳み式紙箱において、把手端部と係止板との係合が簡単で、しかも確実な係止固定が行われ、かつ解除も簡単で、これらが従来通り１回の動作で行え、かつシンプルな構造の箱を提供する事にある。
【課題を解決するための手段】
【０００７】
課題解決手段は、四方側壁と底板とからなる箱形容器本体の対抗する一組の側壁上端縁に折り筋を介して蓋片を延設すると共に、該各蓋片の先端縁に折り筋を介して互いに起立重合する一対の把手を延設し、前記箱形容器本体の対抗する他の一組の側壁上端縁に折り筋を介して係止板を延設すると共に該各係止板に前記各把手片の両端部が挿通されて係合する挿通孔を設けた包装容器に於いて、該係止板の先端部には、先端から挿通孔先端に向けて挿通孔には届かない切り込みを設け、一方、前記各把手片の両端部には該各係止板の挿通孔を挿通するフック部と、それより把手中央側には、フック部を挿通した前記係止板先端部を格納する溝を設けた包装容器とする。
【考案の効果】
【０００８】
課題解決手段による作用は次の通りである。挿通孔に把手端部のフックを挿通した係止板をそのまま止まるまで押し倒せば、自然に係止板先端部の切れ込みは把手の溝を構成する把手溝構成端により左右に開き、把手の溝に納まり係止板はそこで止まる。溝に納まった係止板先端部は手などで強制的に戻さない限り、溝に納まっており、係止板は把手両端のフックと溝により係止固定される。即ち、従来技術の把手端のフックを係止板に挿通する一回の動作で係止板先端部を把手溝に固定する事まで同時に成し遂げる事が出来る。勿論、係止状態を外すにもフックと溝による係止は同時に外す事が出来る。係止板と把手との係止に於いて、係止板先端が把手溝に固定さるため、フックと挿通穴との関係は従来のようなぴったりした寸法関係である必要性はなく、軽く挿通可能な状態であっても、把手を持って振ってもフックが外れる事はない。又、製造時の抜き型もシンプルで従来方式と何ら差はない。箱の製造も簡単で、かつ上記のような効果が得られるのである。
【考案を実施するための最良の形態】
【０００９】
以下、本発明の実施例を図面に基づいて詳述する。図１は本発明による容器包装の展開図面を示す。点線は折り筋を示す。図２は、図１の折り筋３０、３１、３２、３３、３４を折り返した状態を示す。次に糊代１７、１９を底板１の裏面に矢印に示す位置で糊貼りし、側壁３、４を折り畳んだ状態が図３である。図３の折り畳んだ状態が、出荷時の形態となる。
【００１０】
図４は組み立て途中を示す。この状態で、ケーキなどの収納を行う。図３に於いて、側壁３、４を左右に開きながら底板１、側壁５、蓋６、把手９を一緒に手前に倒せば図４の状態になる。図４に於いて、サイドフラップ１９、２０を側壁５の内側に入れ、把手８、９を重ね、重ねられた把手両端フック８ａ、９ａ及び８ｂ、９ｂを係止板１１、１３の挿通孔１１、１２に挿通すると同時に係止板をそのまま押し込めば該係止板先端部の切れ込み１２、１５が把手の係止溝８ｃ、９ｃ及び８ｆ、９ｆに嵌り、係止板と把手は係止固定される。図５はこの組み立て終了の状態を示す。図６は組み立てた箱の底面を下から見た図であり、糊代１７、１９の底板１への糊貼り状態を示す。
【００１１】
図７は重ね合わせた把手端部のフック部９ａ（８a）を挿通孔１１に引っ掛けた状態を示す斜視図である。図８は係止板１０をそのまま倒してゆくと、把手の溝構成端９ｅ（８e）により係止板切り込み１２が左右に押し分けられ、該溝構成端を通過した後、把手溝９ｃ（８ｃ）に納まり、係止板が固定された状態の斜視図である。  
【００１２】
図９は、係止板１０の平面図である。切れ込み１２の終点部に直角に切れ込み１２より短い切れ込み１２ａを適宜設け、切れ込み１２が把手溝構成端を通過時の抵抗や、係止固定力の調整に用いると良い。本考案の趣旨からして、係止板切れ込み形状は、係止板挿入孔に把手フックを挿入しながら倒していった時、把手溝構造端を該溝に誘い込み、溝に該切れ込みが嵌ったあとは、箱を携行中に外れない係止力を得られれば、該切れ込み形状は種種あり得る事は容易に想像出来る。該切れ込みのセンターが係止板センターから左右どちらかに多少ずらしたり、多少斜めになるなどは本考案内で有ることは明らかである。図１０は係止板挿入孔が折り筋１１ａを有した片扉になっている場合を示す。係止板と把手を係止したまま、把手を倒したい用途の時にこの係止板挿入孔の仕様が用いられる。このように、係止板挿入孔形状も種種考えられる事は容易に想像できる。
【００１３】
本考案は、把手付き組み立て箱の把手の箱本体部との新規な係止を提案するもであり、箱本体の組み立てについては何等規制されるものでは無いことは明らかである。従って箱本体部の数ある組み立て箱のどれにも本把手係止提案は採用可能である。
【図面の簡単な説明】
【００１４】
【図１】展開図（平面図）
【図２】作成途中図（斜視図）
【図３】折り畳み図（斜視図）
【図４】組み立て途中図（斜視図）
【図５】組み立て完了図（斜視図）
【図６】組み立て完了裏底面図（平面図）
【図７】係止開始図（斜視図）
【図８】係止完了図（斜視図）
【図９】係止板図１（平面図）
【図１０】係止板図２（平面図）
【符号の説明】
【００１５】
１              底板
２              後側壁
３、４          左右側壁
５              前側壁
６、７          前後蓋
８、９          把手
８ａ、８b       把手フック
９ａ、９ｂ      把手フック
８ｃ、８ｄ      把手溝
９ｃ、９ｄ      把手溝
８ｅ、８ｆ      把手溝構造端
９ｅ、９ｆ      把手溝構造端
１０、１３      係止板
１１、１４      係止板挿通孔
１２、１５      係止板切れ込み
１９、２０      サイドフラップ
【図１】
0003121363.tif 000003
【図２】
0003121363.tif 000004
【図３】
0003121363.tif 000005
【図４】
0003121363.tif 000006
【図５】
0003121363.tif 000007
【図６】
0003121363.tif 000008
【図７】
0003121363.tif 000009
【図８】
0003121363.tif 000010
【図９】
0003121363.tif 000011
【図１０】
0003121363.tif 000012